(57)【特許請求の範囲】
【請求項１】
遮断器および断路器をガス絶縁密閉容器内に内蔵し電力系統から受電する第１の受電ユニット、遮断器および断路器をガス絶縁密閉容器内に内蔵し電力系統から受電する第２の受電ユニット、取引用計器用変成器ＶＣＴを内蔵したＶＣＴユニット、遮断器および断路器をガス絶縁密閉容器内に内蔵し前記取引用計器用変成器ＶＣＴと第１の母線と第２の母線とを介して前記受電ユニットでの受電電力を負荷側に給電する第１の給電ユニット、及び遮断器および断路器をガス絶縁密閉容器内に内蔵し前記取引用計器用変成器ＶＣＴと前記第１の母線と第２の母線とを介して前記受電ユニットでの受電電力を負荷側に給電する第２の給電ユニットを備え、
前記第１の受電ユニットと前記第２の受電ユニットと前記ＶＣＴユニットと前記第１の給電ユニットと前記第２の給電ユニットとが、前記第１の受電ユニット、前記第２の受電ユニット、前記ＶＣＴユニット、前記第１の給電ユニット、及び前記第２の給電ユニットの順に一列に並設され、
前記第１の受電ユニットでは、下部ガス絶縁密閉容器とこの下部ガス絶縁密閉容器の上部の上部ガス絶縁密閉容器とが当該第１の受電ユニットの外箱に内蔵され、これら下部ガス絶縁密閉容器および上部ガス絶縁密閉容器の一方に、遮断器と受電側断路器とが内蔵され、他方に、対を成す受電側区分断路器の一方の断路器と母線側断路器とが内蔵され、
前記第１の受電ユニットの隣に並設の前記第２の受電ユニットでは、下部ガス絶縁密閉容器とこの下部ガス絶縁密閉容器の上部の上部ガス絶縁密閉容器とが当該第２の受電ユニットの外箱に内蔵され、これら下部ガス絶縁密閉容器および上部ガス絶縁密閉容器のうち前記第１の受電ユニットにおける前記遮断器と受電側断路器とが内蔵されたガス絶縁密閉容器に対して前記並設方向に並設されたガス絶縁密閉容器に、遮断器と受電側断路器とが内蔵され、前記第１の受電ユニットにおける前記対を成す受電側区分断路器の一方の断路器と母線側断路器とが内蔵されたガス絶縁密閉容器に対して前記並設方向に並設されたガス絶縁密閉容器に、前記受電側区分断路器の他方の断路器と母線側断路器とが内蔵され、
前記第１の給電ユニットでは、下部ガス絶縁密閉容器とこの下部ガス絶縁密閉容器の上部の上部ガス絶縁密閉容器とが当該第１の給電ユニットの外箱に内蔵され、これら下部ガス絶縁密閉容器および上部ガス絶縁密閉容器の一方に、遮断器が内蔵され、他方に、対を成す給電側区分断路器の一方の断路器と母線側断路器とが内蔵され、
前記第１の給電ユニットの隣に並設の前記第２の給電ユニットでは、下部ガス絶縁密閉容器とこの下部ガス絶縁密閉容器の上部の上部ガス絶縁密閉容器とが当該第２の給電ユニットの外箱に内蔵され、これら下部ガス絶縁密閉容器および上部ガス絶縁密閉容器のうち前記第１の給電ユニットにおける前記遮断器が内蔵されたガス絶縁密閉容器に対して前記並設方向に並設されたガス絶縁密閉容器に、遮断器が内蔵され、前記第１の受電ユニットにおける前記対を成す受電側区分断路器の一方の断路器と母線側断路器とが内蔵されたガス絶縁密閉容器に対して前記並設方向に並設されたガス絶縁密閉容器に、前記給電側区分断路器の他方の断路器と母線側断路器とが内蔵されている
ガス絶縁スイッチギヤ。
【請求項２】
請求項１に記載のガス絶縁スイッチギヤにおいて、
前記ＶＣＴユニットでは、前記取引用計器用変成器ＶＣＴの１次側および２次側の各断路器、および前記取引用計器用変成器ＶＣＴと並列を成すＶＣＴバイパス断路器がガス絶縁密閉容器内に内蔵され、
当該ＶＣＴユニットのガス絶縁密閉容器が、前記取引用計器用変成器ＶＣＴの上側に配設されている
ことを特徴とするガス絶縁スイッチギヤ。
【請求項３】
請求項１または請求項２に記載のガス絶縁スイッチギヤにおいて、
前記第１の母線の各相の母線、および前記第２の母線各相の母線が、各々内蔵されるユニット内で奥行き方向または高さ方向に並設されている
ことを特徴とするガス絶縁スイッチギヤ。
【請求項４】
請求項１〜請求項３の何れか一に記載のガス絶縁スイッチギヤにおいて、
前記第１の母線は、前記第２の受電ユニットにおける前記区分開閉器と前記母線側断路器との中間点と、前記第１の給電ユニットにおける前記区分開閉器と前記母線側断路器との中間点とを、前記ＶＣＴユニット内の前記取引用計器用変成器ＶＣＴと当該取引用計器用変成器ＶＣＴの１次側および２次側の各断路器とを介して接続し、
前記第２の母線は、前記第１の受電ユニットにおける前記区分開閉器と前記母線側断路器との中間点と、前記第２の給電ユニットにおける前記区分開閉器と前記母線側断路器との中間点とを、前記ＶＣＴユニット内の前記取引用計器用変成器ＶＣＴと並列を成すＶＣＴバイパス断路器を介して接続し、
前記第１の母線の各相の母線および前記第２の母線の各相の母線は、各々内蔵されるユニットの上部または後部に配設されている
ことを特徴とするガス絶縁スイッチギヤ。
【請求項５】
請求項４に記載のガス絶縁スイッチギヤにおいて、
前記第１の母線の前記取引用計器用変成器ＶＣＴの１次側断路器と前記第２の受電ユニットとの間、および前記第２の母線の前記取引用計器用変成器ＶＣＴと並列を成すＶＣＴバイパス断路器と前記前記第１の受電ユニットとの間が固体絶縁母線であり、当該各固体絶縁母線の各々に貫通形変流器が配設されている
ことを特徴とするガス絶縁スイッチギヤ。
【発明の詳細な説明】
【技術分野】
【０００１】
この発明は、遮断器および断路器をガス絶縁密閉容器内に内蔵し電力系統から受電する受電ユニット、及び遮断器および断路器をガス絶縁密閉容器内に内蔵し取引用計器用変成器ＶＣＴと母線とを介して受電ユニットでの受電電力を負荷側に給電する給電ユニットを有するガス絶縁スイッチギヤに関するものである。
【背景技術】
【０００２】
従来のこの種のガス絶縁スイッチギヤの例としては例えば特開平８−１９１３１号公報（特許文献１）があるが、例えば、区分断路器を追加する場合、受電ユニットと変圧変流器ユニットとの間、および変圧変流器ユニットと変圧器側ユニットとの間に、区分断路器ユニットを追加する。
【０００３】
【特許文献１】特開平５−３０６１８号公報（図１及びその説明）
【発明の開示】
【発明が解決しようとする課題】
【０００４】
特許文献１には明記されてないが、区分断路器を追加する場合、区分断路器がユニット化された区分断路器ユニットの形式の場合は、追加が簡単な故に通常は受電ユニットと給電ユニット（変圧器一次ユニットと言う場合もある）との間に区分断路器ユニットを挿入する。従って、区分断路器ユニットを追加する場合は、通常は、ガス絶縁スイッチギヤの占有面積が区分断路器ユニットを追加しない場合に比べて広くなる。従って、区分断路器を追加しても、追加する前と占有面積が変わらないように工夫するのが好ましい。
【０００５】
この発明は、前述のような実情に鑑みてなされたもので、区分断路器を設置してもガス絶縁スイッチギヤの据え付け面積が区分断路器ユニット分だけ増加するようなことのないようにすることを目的とするものである。
【課題を解決するための手段】
【０００６】
この発明に係るガス絶縁スイッチギヤは、遮断器および断路器をガス絶縁密閉容器内に内蔵し電力系統から受電する第１の受電ユニット、遮断器および断路器をガス絶縁密閉容器内に内蔵し電力系統から受電する第２の受電ユニット、取引用計器用変成器ＶＣＴを内蔵したＶＣＴユニット、遮断器および断路器をガス絶縁密閉容器内に内蔵し前記取引用計器用変成器ＶＣＴと第１の母線と第２の母線とを介して前記受電ユニットでの受電電力を負荷側に給電する第１の給電ユニット、及び遮断器および断路器をガス絶縁密閉容器内に内蔵し前記取引用計器用変成器ＶＣＴと前記第１の母線と第２の母線とを介して前記受電ユニットでの受電電力を負荷側に給電する第２の給電ユニットを備え、前記第１の受電ユニットと前記第２の受電ユニットと前記ＶＣＴユニットと前記第１の給電ユニットと前記第２の給電ユニットとが、前記第１の受電ユニット、前記第２の受電ユニット、前記ＶＣＴユニット、前記第１の給電ユニット、及び前記第２の給電ユニットの順に一列に並設され、前記第１の受電ユニットでは、下部ガス絶縁密閉容器とこの下部ガス絶縁密閉容器の上部の上部ガス絶縁密閉容器とが当該第１の受電ユニットの外箱に内蔵され、これら下部ガス絶縁密閉容器および上部ガス絶縁密閉容器の一方に、遮断器と受電側断路器とが内蔵され、他方に、対を成す受電側区分断路器の一方の断路器と母線側断路器とが内蔵され、前記第１の受電ユニットの隣に並設の前記第２の受電ユニットでは、下部ガス絶縁密閉容器とこの下部ガス絶縁密閉容器の上部の上部ガス絶縁密閉容器とが当該第２の受電ユニットの外箱に内蔵され、これら下部ガス絶縁密閉容器および上部ガス絶縁密閉容器のうち前記第１の受電ユニットにおける前記遮断器と受電側断路器とが内蔵されたガス絶縁密閉容器に対して前記並設方向に並設されたガス絶縁密閉容器に、遮断器と受電側断路器とが内蔵され、前記第１の受電ユニットにおける前記対を成す受電側区分断路器の一方の断路器と母線側断路器とが内蔵されたガス絶縁密閉容器に対して前記並設方向に並設されたガス絶縁密閉容器に、前記受電側区分断路器の他方の断路器と母線側断路器とが内蔵され、前記第１の給電ユニットでは、下部ガス絶縁密閉容器とこの下部ガス絶縁密閉容器の上部の上部ガス絶縁密閉容器とが当該第１の給電ユニットの外箱に内蔵され、これら下部ガス絶縁密閉容器および上部ガス絶縁密閉容器の一方に、遮断器が内蔵され、他方に、対を成す給電側区分断路器の一方の断路器と母線側断路器とが内蔵され、前記第１の給電ユニットの隣に並設の前記第２の給電ユニットでは、下部ガス絶縁密閉容器とこの下部ガス絶縁密閉容器の上部の上部ガス絶縁密閉容器とが当該第２の給電ユニットの外箱に内蔵され、これら下部ガス絶縁密閉容器および上部ガス絶縁密閉容器のうち前記第１の給電ユニットにおける前記遮断器が内蔵されたガス絶縁密閉容器に対して前記並設方向に並設されたガス絶縁密閉容器に、遮断器が内蔵され、前記第１の受電ユニットにおける前記対を成す受電側区分断路器の一方の断路器と母線側断路器とが内蔵されたガス絶縁密閉容器に対して前記並設方向に並設されたガス絶縁密閉容器に、前記給電側区分断路器の他方の断路器と母線側断路器とが内蔵されているものである。
【発明の効果】
【０００７】
この発明は、遮断器および断路器をガス絶縁密閉容器内に内蔵し電力系統から受電する第１の受電ユニット、遮断器および断路器をガス絶縁密閉容器内に内蔵し電力系統から受電する第２の受電ユニット、取引用計器用変成器ＶＣＴを内蔵したＶＣＴユニット、遮断器および断路器をガス絶縁密閉容器内に内蔵し前記取引用計器用変成器ＶＣＴと第１の母線と第２の母線とを介して前記受電ユニットでの受電電力を負荷側に給電する第１の給電ユニット、及び遮断器および断路器をガス絶縁密閉容器内に内蔵し前記取引用計器用変成器ＶＣＴと前記第１の母線と第２の母線とを介して前記受電ユニットでの受電電力を負荷側に給電する第２の給電ユニットを備え、前記第１の受電ユニットと前記第２の受電ユニットと前記ＶＣＴユニットと前記第１の給電ユニットと前記第２の給電ユニットとが、前記第１の受電ユニット、前記第２の受電ユニット、前記ＶＣＴユニット、前記第１の給電ユニット、及び前記第２の給電ユニットの順に一列に並設され、前記第１の受電ユニットでは、下部ガス絶縁密閉容器とこの下部ガス絶縁密閉容器の上部の上部ガス絶縁密閉容器とが当該第１の受電ユニットの外箱に内蔵され、これら下部ガス絶縁密閉容器および上部ガス絶縁密閉容器の一方に、遮断器と受電側断路器とが内蔵され、他方に、対を成す受電側区分断路器の一方の断路器と母線側断路器とが内蔵され、前記第１の受電ユニットの隣に並設の前記第２の受電ユニットでは、下部ガス絶縁密閉容器とこの下部ガス絶縁密閉容器の上部の上部ガス絶縁密閉容器とが当該第２の受電ユニットの外箱に内蔵され、これら下部ガス絶縁密閉容器および上部ガス絶縁密閉容器のうち前記第１の受電ユニットにおける前記遮断器と受電側断路器とが内蔵されたガス絶縁密閉容器に対して前記並設方向に並設されたガス絶縁密閉容器に、遮断器と受電側断路器とが内蔵され、前記第１の受電ユニットにおける前記対を成す受電側区分断路器の一方の断路器と母線側断路器とが内蔵されたガス絶縁密閉容器に対して前記並設方向に並設されたガス絶縁密閉容器に、前記受電側区分断路器の他方の断路器と母線側断路器とが内蔵され、前記第１の給電ユニットでは、下部ガス絶縁密閉容器とこの下部ガス絶縁密閉容器の上部の上部ガス絶縁密閉容器とが当該第１の給電ユニットの外箱に内蔵され、これら下部ガス絶縁密閉容器および上部ガス絶縁密閉容器の一方に、遮断器が内蔵され、他方に、対を成す給電側区分断路器の一方の断路器と母線側断路器とが内蔵され、前記第１の給電ユニットの隣に並設の前記第２の給電ユニットでは、下部ガス絶縁密閉容器とこの下部ガス絶縁密閉容器の上部の上部ガス絶縁密閉容器とが当該第２の給電ユニットの外箱に内蔵され、これら下部ガス絶縁密閉容器および上部ガス絶縁密閉容器のうち前記第１の給電ユニットにおける前記遮断器が内蔵されたガス絶縁密閉容器に対して前記並設方向に並設されたガス絶縁密閉容器に、遮断器が内蔵され、前記第１の受電ユニットにおける前記対を成す受電側区分断路器の一方の断路器と母線側断路器とが内蔵されたガス絶縁密閉容器に対して前記並設方向に並設されたガス絶縁密閉容器に、前記給電側区分断路器の他方の断路器と母線側断路器とが内蔵されているので、対を成す区分断路器を設置してもガス絶縁スイッチギヤの据え付け面積が区分断路器ユニット分だけ増加するようなことがなくなり、ガス絶縁スイッチギヤの据え付け面積が少なくなる効果がある。
【発明を実施するための最良の形態】
【０００８】
実施の形態１．
以下この発明の実施の形態１を図１により説明する。図１はガス絶縁スイッチギヤの全体構成の一例を平面図で示す構成図である。
【０００９】
図１に示すように、ガス絶縁スイッチギヤ１は、第１の受電ユニット２と、第２の受電ユニット３と、後述のＶＣＴユニット４と、第１の変圧器一次ユニットとも言われる第１の給電ユニット５と、第２の変圧器一次ユニットとも言われる第２の給電ユニット６とで構成されている。
【００１０】
前記第１の受電ユニット２の外箱21には、下部ガス絶縁密閉容器22と上部ガス絶縁密閉容器23とが内蔵されている。
具体的には前記下部ガス絶縁密閉容器22は、前記外箱21の底部の上面に取り付けられている。前記上部ガス絶縁密閉容器23は、前記下部ガス絶縁密閉容器22の上面に取り付けられている。
前記下部ガス絶縁密閉容器22内には、遮断器CB22と受電系の受電側断路器DS22とが内蔵されている。
前記上部ガス絶縁密閉容器23内には、第１の母線BUS1と受電系の母線側断路器DS231と受電側の区分断路器対の一方の区分断路器DS232とが内蔵されている。
前記受電側断路器DS22の受電側は、受電ケ−ブル終端接続箱CCBX22を介して電力系統に接続される。
前記遮断器CB22の母線側と前記母線側断路器DS231の受電側とは、前記下部ガス絶縁密閉容器22と前記上部ガス絶縁密閉容器23とを気密に貫通するブッシングBSGを介して接続される。
前記第１の母線BUS1の一端は、前記母線側断路器DS231と前記区分断路器DS232との間に接続され、他端は、前記上部ガス絶縁密閉容器23を気密に貫通するブッシングBSGを介して、前記第２の受電ユニット３側へ導出される。
【００１１】
前記第２の受電ユニット３の外箱31には、下部ガス絶縁密閉容器32と上部ガス絶縁密閉容器33とが内蔵されている。
具体的には、前記下部ガス絶縁密閉容器32は、前記外箱31の底部の上面に取り付けられている。前記上部ガス絶縁密閉容器33は、前記下部ガス絶縁密閉容器32の上面に取り付けられている。
前記下部ガス絶縁密閉容器32内には、遮断器CB32と受電系の受電側断路器DS32とが内蔵されている。
前記上部ガス絶縁密閉容器33内には、第２の母線BUS2と、受電系の母線側断路器DS331と、受電側の区分断路器対の一方の区分断路器DS232とが内蔵されている。
前記受電側断路器DS22の受電側は、受電ケ−ブル終端接続箱CCBX32を介して電力系統に接続される。
前記遮断器CB32と前記母線側断路器DS331とは、前記下部ガス絶縁密閉容器32と前記上部ガス絶縁密閉容器33とを気密に貫通するブッシングBSGを介して接続される。
前記第２の母線BUS2の一端は、前記母線側断路器DS331と前記区分断路器DS332との間に接続され、他端は、前記上部ガス絶縁密閉容器33を気密に貫通するブッシングBSGを介して、前記ＶＣＴユニット４側へ導出される。
【００１２】
前記ＶＣＴユニット４の外箱41には、周知の取引用計器用変成器（変圧変流器）ＶＣＴと、その上部にガス絶縁密閉容器42，43，44とが内蔵されている。
前記ガス絶縁密閉容器42には、前記ＶＣＴユニット４の一次側断路器DS42と、前記第２の母線BUS2とを内蔵している。
前記ガス絶縁密閉容器43には、前記第１の母線BUS1と、この第１の母線BUS1に直列接続され前記取引用計器用変成器ＶＣＴをバイパスするＶＣＴバイパス断路器DS43とを内蔵している。
前記断路器内蔵用のガス絶縁密閉容器44には、前記第２の母線BUS2と前記ＶＣＴユニット４の二次側断路器DS44とを内蔵している。
前記ＶＣＴ一次側断路器DS42の一端は、前記ガス絶縁密閉容器42を気密に貫通するブッシングBSGを介して前記第２の受電ユニット３へ導入され、他端は前記ガス絶縁密閉容器42を気密に貫通する他のブッシングBSGを介して前記取引用計器用変成器ＶＣＴの一次側に接続される。
【００１３】
前記第１の給電ユニット５の外箱51には、下部ガス絶縁密閉容器52と上部ガス絶縁密閉容器53とが内蔵されている。
具体的には、前記下部ガス絶縁密閉容器52は、前記外箱51の底部の上面に取り付けられている。
前記上部ガス絶縁密閉容器53は、前記下部ガス絶縁密閉容器52の上面に取り付けられている。
前記下部ガス絶縁密閉容器52内には、遮断器CB52が内蔵されている。
前記上部ガス絶縁密閉容器53内には、第２の母線BUS2と、断路器DS531と、給電側の区分断路器対の一方の区分断路器DS532とが内蔵されている。
前記遮断器CB52の給電側は、給電ケ−ブル始端接続箱CCBX52を介して変圧器（図示省略）の一次側に接続される。つまり、前記遮断器CB52の給電側は、変圧器を介して負荷に接続される。
前記遮断器CB52と前記給電系の断路器DS531とは、前記下部ガス絶縁密閉容器52と前記上部ガス絶縁密閉容器53とを気密に貫通するブッシングBSGを介して接続される。
前記第２の母線BUS2は、一端が前記区分断路器DS532と前記断路器DS531との間に接続され、他端は、前記ＶＣＴ２次側断路器DS44に接続される。
【００１４】
前記第２の給電ユニット６の外箱61には、下部ガス絶縁密閉容器62と上部ガス絶縁密閉容器63とが内蔵されている。
具体的には、前記下部ガス絶縁密閉容器62は、前記外箱61の底部の上面に取り付けられている。前記上部ガス絶縁密閉容器63は、前記下部ガス絶縁密閉容器62の上面に取り付けられている。
前記下部ガス絶縁密閉容器62内には、遮断器CB62が内蔵されている。
前記上部ガス絶縁密閉容器63内には、第１の母線BUS1と、第２の母線BUS2と、給電系の母線側断路器DS631と、給電側の区分断路器対の他方の区分断路器DS632とが内蔵されている。
前記給電側断路器DS62の給電側は、給電ケ−ブル始端接続箱CCBX62を介して変圧器（図示省略）の一次側に接続される。つまり、前記遮断器CB52の給電側は、変圧器を介して負荷に接続される。
前記遮断器CB62の母線側と前記母線側断路器DS631の給電側とは、前記下部ガス絶縁密閉容器62と前記上部ガス絶縁密閉容器63とを気密に貫通するブッシングBSGを介して接続される。
前記第１の母線BUS1と、前記第２の母線BUS2とは、同一ユニット内に両者がある場合は、前記第１の母線BUS1の各相の母線、および前記第２の母線BUS2の各相の母線が、各々内蔵されるユニットの上部に奥行き方向、またはユニットの後方に高さ方向に並設されている。
【００１５】
また、実施の形態１におけるガス絶縁スイッチギヤ１は、遮断器および断路器をガス絶縁密閉容器内に内蔵し電力系統から受電する第１の受電ユニット２、遮断器および断路器をガス絶縁密閉容器内に内蔵し電力系統から受電する第２の受電ユニット３、取引用計器用変成器ＶＣＴを内蔵したＶＣＴユニット４、遮断器および断路器をガス絶縁密閉容器内に内蔵し前記取引用計器用変成器ＶＣＴと第１の母線と第２の母線とを介して前記受電ユニットでの受電電力を負荷側に給電する第１の給電ユニット５、及び遮断器および断路器をガス絶縁密閉容器内に内蔵し前記取引用計器用変成器ＶＣＴと前記第１の母線と第２の母線とを介して前記受電ユニットでの受電電力を負荷側に給電する第２の給電ユニット６を備え、前記第１の受電ユニット２と前記第２の受電ユニット３と前記ＶＣＴユニット４と前記第１の給電ユニット５と前記第２の給電ユニット６とが、前記第１の受電ユニット２、前記第２の受電ユニット３、前記ＶＣＴユニット４、前記第１の給電ユニット５、及び前記第２の給電ユニット６の順に一列に並設され、前記第１の受電ユニット２では、遮断器と受電側断路器とが下部ガス絶縁密閉容器内２２に内蔵され、対を成す受電側区分断路器の一方の断路器と母線側断路器とが前記下部ガス絶縁密閉容器の上部の上部ガス絶縁密閉容器２３内に内蔵され、前記第２の受電ユニット３では、遮断器と受電側断路器とが下部ガス絶縁密閉容器３２内に内蔵され、前記受電側区分断路器の他方の断路器と母線側断路器とが前記下部ガス絶縁密閉容器の上部の上部ガス絶縁密閉容器３３内に内蔵され、前記第１の給電ユニット５では、遮断器が下部ガス絶縁密閉容器５２内に内蔵され、対を成す給電側区分断路器の一方の断路器と母線側断路器とが前記下部ガス絶縁密閉容器の上部の上部ガス絶縁密閉容器５３内に内蔵され、前記第２の給電ユニット６では、遮断器が下部ガス絶縁密閉容器６２内に内蔵され、前記給電側区分断路器の他方の断路器と母線側断路器とが前記下部ガス絶縁密閉容器の上部の上部ガス絶縁密閉容器６３内に内蔵されている。
【００１６】
また、前記ＶＣＴユニット４では、前記取引用計器用変成器ＶＣＴの１次側および２次側の各断路器、および前記取引用計器用変成器ＶＣＴと並列を成すＶＣＴバイパス断路器DS43がガス絶縁密閉容器内に内蔵され、当該ＶＣＴユニットのガス絶縁密閉容器43が、前記取引用計器用変成器ＶＣＴの上側に配設されている。
【００１７】
また、前記第２の母線BUS2は、前記第２の受電ユニット３における上部ガス絶縁密閉容器内の前記区分開閉器と前記母線側断路器との中間点と、前記第１の給電ユニットにおける上部ガス絶縁密閉容器内の前記区分開閉器と前記母線側断路器との中間点とを、前記ＶＣＴユニット内の前記取引用計器用変成器ＶＣＴと当該取引用計器用変成器ＶＣＴの１次側および２次側の各断路器DS42，DS44とを介して接続し、前記第１の母線BUS1は、前記第１の受電ユニットにおける上部ガス絶縁密閉容器内の前記区分開閉器と前記母線側断路器との中間点と、前記第２の給電ユニットにおける上部ガス絶縁密閉容器内の前記区分開閉器と前記母線側断路器との中間点とを、前記ＶＣＴユニット内の前記取引用計器用変成器ＶＣＴと並列を成すＶＣＴバイパス断路器DS43を介して接続し、前記第１の母線BUS1の各相の母線および前記第２の母線BUS2の各相の母線は、各々内蔵されるユニットの上部または後方に配設されている。
【００１８】
前述のような構成であるので、区分断路器DS232，DS332，DS532，DS632を設置しても設置しなくても、ガス絶縁スイッチギヤの据え付け面積は変わらない。換言すれば、ガス絶縁スイッチギヤの据え付け面積を増やすことなく区分断路器DS232，DS332，DS532，DS632を設置できる。
実施の形態２．
【００１９】
以下この発明の実施の形態２を、図２により説明する。実施の形態２は図２に示すように、前記第２の母線BUS2の前記取引用計器用変成器ＶＣＴの１次側断路器DS42と前記第２の受電ユニット３との間、および前記第１の母線BUS1の前記取引用計器用変成器ＶＣＴと並列を成すＶＣＴバイパス断路器DS43と前記前記第１の受電ユニット２との間が固体絶縁母線であり、当該各固体絶縁母線の各々に貫通形変流器CT1，CT2が配設されているものであり、据え付け面積を増加させることなく、受電回路とＶＣＴ回路との間に変流機CTを設けることができる。
【００２０】
なお、前述のこの発明の実施の形態１および実施の形態２において、上部ガス絶縁密閉容器23，33，43，53と、下部ガス絶縁密閉容器22，32，42，52とを上下反転し、各ユニットの外箱21，31，41，51の底部の上面に下部のガス絶縁密閉容器を取り付け、第１の母線BUS1および第２の母線BUS2を各々内蔵されるユニットの下部に奥行き方向に、またはユニットの後方に高さ方向に配置した場合も同じ効果が得られる。
【図面の簡単な説明】
【００２１】
【図１】この発明の実施の形態１を示す図で、ガス絶縁スイッチギヤの全体構成の一例を平面図で示す構成図である。
【図２】この発明の実施の形態２を示す図で、ガス絶縁スイッチギヤの全体構成の一例を平面図で示す構成図である。
【符号の説明】
【００２２】
１    ガス絶縁スイッチギヤ、
２    第１の受電ユニット、
21    外箱、
22    下部ガス絶縁密閉容器、
23    上部ガス絶縁密閉容器、
BUS1    第１の母線、
BUS2    第２の母線、
CB22    遮断器、
CCBX22    受電ケ−ブル終端接続箱、
DS22    受電側断路器、
DS321    母線側断路器、
DS322    区分断路器、
３    第２の受電ユニット、
31    外箱、
32    下部ガス絶縁密閉容器、
33    上部ガス絶縁密閉容器、
CB32    遮断器、
CCBX32    受電ケ−ブル始端接続箱、
CCBX52    給電ケ−ブル始端接続箱、
CCBX62    給電ケ−ブル始端接続箱、
DS43    ＶＣＴバイパス断路器、
DS34    給電系の断路器、
CT1，CT2    貫通形変流器、
４    ＶＣＴユニット、
41    外箱、
42，43，44    ガス絶縁密閉容器、
DS42    ＶＣＴ一次側断路器、
DS44    ＶＣＴ二次側断路器、
５    第１の給電ユニット、
51    外箱、
52    下部ガス絶縁密閉容器、
53    上部ガス絶縁密閉容器、
CB52    遮断器、
DS52    給電系の断路器、
６    第２の給電ユニット、
61    外箱、
62    下部ガス絶縁密閉容器、
63    上部ガス絶縁密閉容器、
CB62    遮断器、
DS62    給電側断路器、
DS63    母線側断路器、
ＢＳＧ    ブッシング。
【図１】
0004519048.tif 000002
【図２】
0004519048.tif 000003